(57)【要約】【課題】  プラスチックフィルムを被覆したモールディングフレーム素材を必要長さに切断してフレーム本体が形成される一般的なものでは、表面に凹凸がない平坦である為、立体感を出し難く、高級感を出すことが出来なかった。また、印刷により立体感を齎せようとしても、限度があり、意に叶うものでなかった。【解決手段】  フレーム上表面に浅い凹部、及び低い凸部を形成し、フレーム側表面には、黒色のプラスチックフィルムテープが貼着され、フレーム上表面の凹部には、色、模様を取捨選択したプラスチックフィルムテープが貼着され、凸部には、色、模様を取捨選択したプラスチックフィルムのテープが、前記凹部に貼着されたテープの一方側端上に少し重なるようにして貼着され、そして、これら貼着される隣接のテープの相互を少し重なるようにした側端部分が熱圧着されて接合する長尺のフレーム材を形成し、該フレーム材を必要長さに切断し、枠組みして作られるフレームで構成する額縁である。【選択図】図２
2018079288.tif 000002
【特許請求の範囲】
【請求項１】
フレーム上表面に浅い凹部、及び低い凸部を形成し、フレーム側表面には、黒色のプラスチックフィルムテープが貼着され、フレーム上表面の凹部には、色、模様を取捨選択したプラスチックフィルムテープが貼着され、凸部には、色、模様を取捨選択したプラスチックフィルムのテープが、前記凹部に貼着されたテープの一方側端上に少し重なるようにして貼着され、そして、これら貼着される隣接のテープの相互を少し重なるようにした側端部分が熱圧着されて接合する長尺のフレーム材を形成し、該フレーム材を必要長さに切断してフレーム本体が形成され、該フレーム本体を枠組みして作られるフレームで構成することを特徴とした額縁。
【請求項２】
フレーム上表面に一本の低い凸部とその両側部に浅い凹部とを形成し、フレーム側表面には、黒色のプラスチックフィルムテープが貼着され、フレーム上表面の凹部には、色、模様を取捨選択したプラスチックフィルムのテープが、そのテープの一方側端を凸部の基部に当接し、他方側端をフレーム側表面に貼着された黒色のプラスチックフィルムの上端上に少し重なるようにして貼着され、凸部には、色、模様を取捨選択したプラスチックフィルムのテープがそのテープの側端を凹部に貼着されたテープの一方側端上に少し重なるようにして貼着され、そして、前記凹部に貼着されたプラスチックフィルムのテープが少し重なる部分、及び前記凸部に貼着されたプラスチックフィルムのテープが凹部に貼着されたテープの一方側端上に少し重なる部分を熱圧着させて接合し、長尺のフレーム材が形成されることを特徴とする請求項１記載の額縁。
【請求項３】
断面四角形状でその下方内側の角に載置棚部を設けたフレーム素材が、フレーム上表面に一本の低い凸部と、その両側部に浅い凹部とを形成し、フレーム側表面には、黒色のフィルムテープが貼着され、フレーム上表面の載置棚部のある内側の凹部には、クリーム色のフィルムのテープが貼着され、残る浅い凹部と低い凸部とには、ピンク色、又はブルー色、又はオフホワイト色フィルムのテープが貼着され、更に、凸部には、クリーム色と透明色との縞模様のフィルムのテープが重ね貼着され、そして、これら貼着される隣接のテープの相互を少し重なるようにした側端部分が熱圧着されて接合する長尺のフレーム材を形成することを特徴とする請求項１記載の額縁。
【請求項４】
フレーム上表面に浅く低い凹凸部を形成し、フレーム上表面の内側の浅い凹部には、クリーム色のフィルムのテープが貼着され、残る浅い凹部と低い凸部とには、ピンク色、又はブルー色、又はオフホワイト色フィルムのテープが貼着され、更に、凸部には、クリーム色と透明色の縞模様のフィルムのテープが重ね貼着され、そして、これら貼着される隣接のテープの相互を少し重なるようにした側端部分が熱圧着されて接合する長尺のフレーム材を形成することを特徴とする請求項１記載の額縁。
【請求項５】
フレーム上表面に数本の低い凸部と、その数本の凸部の間にある浅い凹部と、これら凹凸部の両側部にある側凹部とを形成し、フレーム側表面には、黒色のプラスチックフィルムテープが貼着され、フレーム上表面の凹部には、色、模様を取捨選択したプラスチックフィルムのテープがそのテープの両側端を凸部の基部に当接するように貼着され、フレーム上表面の側凹部には、色、模様を取捨選択したプラスチックフィルムのテープが、そのテープの一方側端を凸部の基部に当接させると共に他方側端をフレーム側表面に貼着された黒色のプラスチックフィルムテープの上端上に少し重なるようにして貼着され、凸部には、色、模様を取捨選択したプラスチックフィルムのテープがそのテープの側端を前記凹部に貼着されたテープの側端上に少し重なるようにして、及び前記側凹部に貼着されたテープの側端上に少し重なるようにして貼着され、そして、前記側凹部に貼着されたプラスチックフィルムのテープが前記フレーム側表面に貼着された黒色のプラスチックフィルムテープの上端上に少し重なる部分、及び前記凸部に貼着されたプラスチックフィルムのテープが前記凹部に貼着されたプラスチックフィルムのテープの側端上に少し重なる部分、また、前記側凹部に貼着されたプラスチックフィルムのテープの側端上に少し重なる部分を熱圧着させて接合し、長尺のフレーム材が形成され、該長尺のフレーム材を必要長さに切断し、枠組みして作られるフレームで構成することを特徴とする請求項１記載の額縁。
【発明の詳細な説明】
【技術分野】
【０００１】  本発明は、絵画や写真等を飾る為に挟み込む額縁において、この額縁を構成するフレームがプラスチックフィルムで被覆されているものに関する。
【背景技術】
【０００２】  従来、絵画や写真等を壁、又は机上等に飾る場合には、絵画や写真等を挟み込む額縁が用いられていた。
この額縁は、長尺のフレーム材が必要長さに切断されてフレーム本体を形成し、該フレーム本体を枠組みしてフレームが作られていた。【０００３】  ところで、フレーム材が素材をそのまま剥き出しで使用されると、フレームの高級感が損われ、そして、木製のフレームの場合には、室内等の水分をフレームが吸収し、吸収することによって、結果的には、フレームの曲がり、反りを生じることになり、不都合であった。
そこで、フレーム材には、ＰＰフィルム、ＰＥＴフィルム等のプラスチックフィルムが被覆されて、モールディングフレーム材にし、該モールディングフレーム材を必要長さに切断してフレーム本体が形成され、該フレーム本体を枠組みしてフレームが作られていた。（特許文献１）【０００４】  また、凹凸部を持つ立体基材において、その表面に印刷フィルムを積層した場合、印刷フィルムの積層位置にずれを生じても違和感が感じられない印刷フィルムを得るために、印刷フィルムには、立体基材の表面への積層時に、立体基材の凹凸部の稜線が位置する設計上の予定位置であるその両側近傍を、一方側における印刷模様と他方側における印刷模様とが連続性を持つように、明度や色彩、彩度を連続的に変化させて印刷されるようにする。（特許文献２）
【先行技術文献】
【特許文献】
【０００５】
【特許文献１】実用新案登録第３１０５７５４号
【特許文献２】特開２０００−７１６９５
【発明の概要】
【発明が解決しようとする課題】
【０００６】  従来のＰＰフィルム、ＰＥＴフィルム等のプラスチックフィルムを被覆したモールディングフィルム材を必要長さに切断してフレーム本体が形成される一般的なものは、表面に凹凸がない平坦である為、立体感を出し難く、高級感を出すことが出来なかった。また、印刷により立体感をもたせようとしても、限度があり、意に叶うものでなかった。【０００７】  また、表面に凹凸部を持たせ、その凹凸部を持つ表面に印刷フィルムが積層されるとしても、該印刷フィルムに、凹凸部の稜線が位置されるべき設計上の予定位置を決めることは困難であり、また、前記凹凸部の稜線に合わせた積層は難しい。【０００８】  そこで、本発明は、長尺のフレーム材のフレーム上表面に形成された凹部、凸部のその各々に沿ってプラスチック製印刷フィルムのテープを個々に貼着し、凹凸部を有するフレーム上表面に正確、且つ綺麗にプラスチック製印刷フィルムが被覆された額縁のフレーム材を得ることにある。
【課題を解決するための手段】
【０００９】  本発明の額縁は、フレーム上表面に浅く低い凹凸部を形成し、フレーム側表面には、黒色のプラスチックフィルムテープが貼着され、フレーム上表面の凹部には、色、模様を取捨選択したプラスチックフィルムテープが貼着され、凸部には、色、模様を取捨選択したプラスチックフィルムのテープが、凹部に貼着されたテープの一方側端上に少し重なるようにして貼着され、そして、これら貼着される隣接のテープの相互を少し重なるようにした側端部分が熱圧着されて接合する長尺のフレーム材を形成し、該長尺のフレーム材を必要長さに切断してなるフレーム本体が形成され、該フレーム本体を枠組みして作られるフレームで構成するものである。【００１０】  本発明の額縁は、フレーム上表面に一本の低い凸部とその両側部に浅い凹部とを形成し、フレーム側表面には、黒色のプラスチックフィルムテープが貼着され、フレーム上表面の凹部には、色、模様を取捨選択したプラスチックフィルムのテープが、そのテープの一方側端を凸部の基部に当接し、他方側端をフレーム側表面に貼着された黒色のプラスチックフィルムの上端上に少し重なるようにして貼着され、凸部には、色、模様を取捨選択したプラスチックフィルムのテープがそのテープの側端を凹部に貼着されたテープの一方側端上に少し重なるようにして貼着され、そして、前記凹部に貼着されたプラスチックフィルムのテープが少し重なる部分、及び前記凸部に貼着されたプラスチックフィルムのテープが凹部に貼着されたテープの一方側端上に少し重なる部分を熱圧着させて接合し、長尺のフレーム材が形成され、該長尺のフレーム材を必要長さに切断してなるフレーム本体が形成され、該フレーム本体を枠組みして作られるフレームで構成するものである。【００１１】  本発明の額縁は、断面四角形状でその下方内側の角に載置棚部を設けたフレーム素材が、フレーム上表面に一本の低い凸部と、その両側部に浅い凹部とを形成し、フレーム側表面には、黒色のフィルムテープが貼着され、フレーム上表面の載置棚部のある内側の凹部には、クリーム色のフィルムのテープが貼着され、残る浅い凹部と低い凸部とには、ピンク色、又はブルー色、又はオフホワイト色フィルムのテープが貼着され、更に、凸部には、クリーム色と透明色との縞模様のフィルムのテープが重ね貼着され、そして、これら貼着される隣接のテープの相互を少し重なるようにした側端部分が熱圧着されて接合する長尺のフレーム材を形成し、該長尺のフレーム材を必要長さに切断してなるフレーム本体が形成され、該フレーム本体を枠組みして作られたフレームで構成するものである。【００１２】  本発明の額縁は、フレーム上表面に浅く低い凹凸部を形成し、フレーム上表面の内側の浅い凹部には、クリーム色のフィルムのテープが貼着され、残る浅い凹部と低い凸部とには、ピンク色、又はブルー色、又はオフホワイト色フィルムのテープが貼着され、更に、凸部には、クリーム色と透明色の縞模様のフィルムのテープが重ね貼着され、そして、これら貼着される隣接のテープの相互を少し重なるようにした側端部分が熱圧着されて接合する長尺のフレーム材を形成し、該長尺のフレーム材を必要長さに切断してなるフレーム本体が形成され、該フレーム本���を枠組みして作られたフレームで構成するものである。【００１３】  本発明の額縁は、フレーム上表面に数本の低い凸部と、その数本の凸部の間にある浅い凹部と、これら凹凸部の両側部にある側凹部とを形成し、フレーム側表面には、黒色のプラスチックフィルムテープが貼着され、フレーム上表面の凹部には、色、模様を取捨選択したプラスチックフィルムのテープがそのテープの両側端を凸部の基部に当接するように貼着され、フレーム上表面の側凹部には、色、模様を取捨選択したプラスチックフィルムのテープが、そのテープの一方側端を凸部の基部に当接させると共に他方側端をフレーム側表面に貼着された黒色のプラスチックフィルムの上端上に少し重なるようにして貼着され、凸部には、色、模様を取捨選択したプラスチックフィルムのテープがそのテープの側端を前記凹部に貼着されたテープの側端上に少し重なるようにして、及び前記側凹部に貼着されたテープの側端上に少し重なるようにして貼着され、そして、前記側凹部に貼着されたプラスチックフィルムのテープが前記フレーム側表面に貼着された黒色のプラスチックフィルムの上端上に少し重なる部分、及び前記凸部に貼着されたプラスチックフィルムのテープが前記凹部に貼着されたプラスチックフィルムのテープの側端上に少し重なる部分、また、前記側凹部に貼着されたプラスチックフィルムのテープの側端上に少し重なる部分を熱圧着させて接合し、長尺のフレーム材が形成されてなるものである。
【発明の効果】
【００１４】  本発明の額縁は、フレーム上表面に浅く低い凹凸部を形成し、該凹凸部の各々に、色、模様を取捨選択したプラスチックフィルムのテープが貼着されるので、凹凸部を形成するだけでも高級感を齎せることになるのに、凹凸部の各々に色、模様を取捨選択したプラスチックフィルムのテープが貼着されることによって、更に一層の高級感を醸すことが出来ることになる。【００１５】  本発明の額縁は、フレーム上表面に浅く低い凹凸部を形成し、該凹凸部の各々に、色、模様を取捨選択した別々のプラスチックフィルムのテープが貼着されるので、全体的に調整して設計した一枚のプラスチックフィルムを貼るのと比較して、設計し易く、また、精度を出し易く、貼着が容易に出来、困難さが解消される等の効果を奏するものとなる。【００１６】  本発明の額縁は、フレーム上表面に浅く低い凹凸部を形成し、フレーム上表面の内側の浅い凹部には、クリーム色のフィルムテープが貼着され、凸部及び外側の凹部には、ピンク色、又はブルー色、又はオフホワイト色のフィルムテープが貼着され、更に、該凸部には、クリーム色と透明色との縞模様のフィルムのテープが貼着されるので、貼着が容易に出来、しかも、見栄えよく出来ることになる。【００１７】  本発明の額縁は、フレーム上表面に数本の浅く低い凹凸部を形成し、該凹凸部の各々に、色、模様を取捨選択して別々のプラスチックフィルムのテープが貼着され、そして、これら貼着される隣接のテープの側端部分の相互が少し重なるようにして熱圧着されているので剥離することがない。
【図面の簡単な説明】
【００１８】
【図１】額縁のフレーム上表面に一本の低い凸部を形成した長尺のフレーム材の斜視図である。
【図２】フレーム上表面に一本の低い凸部を形成した長尺のフレーム材におけるプラスチックフィルムの貼着様態を示す断面拡大図である。
【図３】フレーム上表面に一本の低い凸部を、そして、その両側に浅い凹部を形成した長尺のフレーム材において、フレーム側表面には黒色のフィルムテープが貼着され、内側の凹部にはクリーム色のフィルムのテープが、そして、残る浅い凹部と低い凸部とには、ブルー色、又はピンク色、又はオフホワイト色のフィルムテープが貼着され、更に、凸部にクリーム色と透明色との縞模様のフィルムのテープが貼着された長尺のフレーム材の貼着様態を示す断面拡大図である。
【図４】フレーム上表面に一本の低い凸部、そして、その両側に浅い凹部を形成した長尺のフレーム材において、内側の凹部にはクリーム色のフィルムのテープが、そして、その外側の浅い凹部と低い凸部には、ブルー色、又はピンク色、又はオフホワイト色のフィルムテープが貼着され、更に、その凸部には、クリーム色と透明色との縞模様のフィルムテープが貼着された長尺のフィルム材の貼着様態を示す断面拡大図である。
【図５】フレーム上表面に一本の低い凸部、その両側に浅い凹部を形成した、その内側の凹部には、クリーム色のフィルムを、外側の凹部及び凸部には、ａ  ブルー色のフィルムテープを、又は  ｂ  ピンク色のフィルムテープを、又は  ｃ  オフホワイト色のフィルムテープを貼着し、更に、凸部にクリーム色と透明色との縞模様のフィルムテープが貼着された長尺のフレーム材を必要長さに切断し、枠組みして作られたフレームで構成する額縁の上視図である。
【図６】額縁のフレーム上表面に複数の凹凸部を形成した長尺のフレーム材におけるプラスチックフィルムの貼着様態を示す断面拡大図である。
【図７】長尺のフレーム材を切断して作られたフレーム本体が枠組みされてフレームを形成する額縁の構造図である。
【発明を実施するための形態】
【００１９】  本発明の額縁は、断面四角形状でその下方内側の角に透明体、絵画や写真、裏板等を載置する載置棚部を設けたプラスチック材、アルミニュウム材、ＭＤＦ（木の粉）材、圧縮ボード材、及び木材等でなる長尺のフレーム素材がフレーム上表面に凹凸部を形成し、フレーム上表面の凹部には、色、模様を取捨選択したＰＰフィルム、ＰＥＴフィルム等のプラスチックフィルムのテープが貼着され、凸部には、色、模様を取捨選択したＰＰフィルム、ＰＥＴフィルム等のプラスチックフィルムのテープが、前記凹部に貼着されたテープの一方側端上に少し重なるようにして貼着され、そして、そのテープの側端を凹部のテープの一方側端上に少し重ねるようにした部分を熱圧着してなる長尺のフレーム材を、必要長さに切断してフレーム本体が形成され、該フレーム本体を枠組みしてフレームに作られるものである。
【実施例１】
【００２０】  本発明の額縁は、図１乃至図２、及び図７に示す如く、断面四角形状で、その下方内側の角に載置棚部１１０を設けたフレーム素材１０が、フレーム上表面１１に一本の低い凸部１１２と、その両側部に浅い凹部１１１とを形成し、フレーム側表面１２には、黒色のプラスチックフィルムテープ３が貼着され、該浅い凹部には、色、模様を取捨選択したプラスチックフィルムのテープ２１が、そのテープの一方側端２１１を凸部１１２の基部１１３に当接し、他方側端２１２をフレーム側表面１２に貼着された黒色のプラスチックフィルム３の上端３１１上に少し重なるようにして貼着され、凸部１１２には、色、模様を取捨選択したプラスチックフィルムのテープ２３がそのテープの側端２３１を凹部１１１に貼着されたテープ２１の一方側端２１１上に少し重なるようにして貼着され、そして、前記凹部に貼着されたプラスチックフィルムのテープ２１がフレーム側表面１２に貼着された黒色のプラスチックフィルムテープ３の上端３１１上に少し重なるようにした部分、及び前記凸部に貼着されたプラスチックフィルムのテープ２３がそのテープの側端部２３１を凹部１１１に貼着されたテープ２１の一方側端２１１上に少し重なるようにした部分を熱圧着して接合させてなる長尺のフレーム材１００を必要な長さに切断してフレーム本体１０１が形成され、該フレーム本体を枠組みしてフレーム１に作られるものである。
【実施例２】
【００２１】  本発明の額縁は、図３、図５、及び図７に示す如く、断面四角形状で、その下方内側の角に載置棚部１１０を設けたフレーム素材１０が、フレーム上表面１１に一本の低い凸部１１２と、その両側部に浅い凹部１１１とを形成し、フレーム側表面１２には、黒色のフィルムテープ６が貼着され、フレーム上表面１１の内側の浅い凹部１１１１には、クリーム色のフィルムのテープ７が、そのテープの一方側端７１１を凸部１１２の基部１１３に当接し、他方側端７１２をフレーム側表面１２に貼着された黒色のフィルムテープ６の上端６１１上に少し重なるようにして貼着され、外側の浅い凹部１１１２と低い凸部１１２とには、ブルー色のフィルムテープ８ａ、又はピンク色のフィルムテープ８ｂ、又はオフホワイト色フィルムテープ８ｃが、そのテープの一方側端８１１を内側の浅い凹部１１１１に貼着されたクリーム色のフィルムのテープ７の一方側端７１１に少し重なるようにし、そのテープの他方側端８１２をフレーム側表面１２に貼着された黒色のフィルムテープ６の上端６１２上に少し重なるようにして貼着され、このフィルムテープ８の貼着された凸部１１２部分には、クリーム色と透明色との縞模様のフィルムのテープ９が、そのテープの両側端９１を凸部１１２の両基部１１３に貼着されたブルー色、又はピンク色、又はオフホワイト色のフィルムテープ８に当接するように貼着され、そして、これらが貼着される隣接のテープの相互を少し重なるようにした側端部分が熱圧着されて接合する長尺のフレーム材１００を形成し、該長尺のフレーム材を必要長さに切断してなるフレーム本体１０１を形成され、該フレーム本体１０１を枠組みして作られるフレーム１で構成するものである。
【実施例３】
【００２２】  本発明の額縁は、図４、図５、及び図７に示す如く、フレーム上表面１１に浅く低い凹凸部１１１，１１２を形成し、フレーム上表面１１の内側の浅い凹部１１１１には、クリーム色のフィルムテープ７がそのテープの一方側端７１１を凸部１１２の基部１１３に当接させ、他方側端７１２を凹部１１１１の縁に合せて貼着し、外側の浅い凹部１１１２と低い凸部１１２とには、ブルー色のフィルムテープ８ａ、又はピンク色のフィルムテープ８ｂ、又はオフホワイト色のフィルムテープ８ｃが、そのテープの一方側端８１１を内側の浅い凹部１１１１に貼着されたクリーム色のフィルムテープ７の一方側端７１１に少し重なるようにし、そのテープ８の他方側端８１２を外側の浅い凹部１１１２の縁に合せて貼着し、そのフィルムテープ８の貼着された凸部１１２部分には、クリーム色と透明色との縞模様のフィルムテープ９が、そのテープの両側端９１を凸部１１２の両基部１１３に貼着されたブルー色のフィルムテープ８ａ、又はピンク色のフィルムテープ８ｂ、又はオフホワイト色のフィルムテープ８ｃに当接するように貼着され、そして、これら貼着される隣接のテープの相互を少し重なるようにした側端部分が熱圧着されて接合する長尺のフィルム材１００を形成し、該長尺のフィルム材を必要長さに切断してなるフレーム本体１０１を形成され、該フレーム本体を枠組みして作られるフレーム１で構成するものである。
【実施例４】
【００２３】  本発明の額縁は、図６、及び図７に示す如く、断面四角形状で、その下方内側の角に透明体、絵画や写真、裏板等を載置する載置棚部４１０を設けたプラスチック材、アルミニュウム材、ＭＤＦ（木の粉）材、圧縮ボード材、及び木材等でなる長尺のフレーム素材４０がフレーム上表面４１に数本の低い凸部４１２と、その数本の凸部４１２の間にある浅い凹部４１１と、これら凹凸部４１１，４１２の両側部にある側凹部４１４を形成する。
フレーム側表面４２には、黒色のプラスチックフィルムテープ３が貼着され、フレーム上表面４１の凹部４１１には、色、模様を取捨選択したプラスチックフィルムのテープ５１がそのテープの両側端５１０を凸部４１２の基部４１３に当接するようにして貼着され、フレーム上表面の側凹部４１４には、色、模様を取捨選択したプラスチックフィルムのテープ５３がその一方側端５３１を凸部４１２の基部４１３に当接させると共に、他方側端５３２をフレーム側表面４２に貼着された黒色のプラスチックフィルム３の上端３１１上に少し重なるようにして貼着され、フレーム上表面４１の凸部４１２には、色、模様を取捨選択したプラスチックフィルムのテープ５４がそのテープの側端５４１を前記凹部４１１に貼着されたテープ５１の両側端５１０上、及び前記側凹部４１４に貼着されたテープ５３の一方側端５３１上に少し重なるようにして貼着される。
そして、前記側凹部４１４に貼着されたプラスチックフィルムのテープ５３が前記フレーム側表面４２に貼着された黒色のプラスチックフィルム３の上端３１１上に少しかさなる部分、及び前記凸部４１２に貼着されたプラスチックフィルムのテープ５４が前記凹部４１１、及び前記側凹部４１４に貼着されたプラスチックフィルムのテープ５１，５３の側端５３１，５４１上に少し重なる部分を熱圧着させて接合する。
よって、長尺のフレーム材が形成されることになる。
【符号の説明】
【００２４】１          フレーム
１０        フレーム素材
１００      フレーム材
１０１      フレーム本体
１１        フレーム上表面
１１０      載置棚部
１１１      凹部
１１１１    内側の浅い凹部
１１１２    外側の浅い凹部
１１２      凸部
１１３      基部
１２        フレーム側表面
２１        プラスチックフィルムのテープ
２１１      一方側端
２１２      他方側端
２３        プラスチックフィルムのテープ
２３１      側端
３          黒色のプラスチックフィルムのテープ
３１１      上端
４          フレーム
４０        フレーム素材
４００      フレーム材
４０１      フレーム本体
４１        フレーム上表面
４１０      載置棚部
４１１      凹部
４１２      凸部
４１３      基部
４１４      側凹部
４２        フレーム側表面
５１        プラスチックフィルムのテープ
５１０      両側端
５３        プラスチックフィルムのテープ
５３１      一方側端
５３２      他方側端
５４        プラスチックフィルムのテープ
５４１      側端
６          黒色のフィルムテープ
６１１      上端
６１２      上端
７          クリーム色のフィルムテープ
７１１      一方側端
７１２      他方側端
８          ブルー色、又はピンク色、又はオフホワイト色のフィルムテープ
８ａ        ブルー色のフィルムテープ
８ｂ        ピンク色のフィルムテープ
８ｃ        オフホワイト色のフィルムテープ
８１１      一方側端
８１２      他方側端
９          クリーム色と透明色との縞模様のフィルムテープ
９１        側端
【図１】
2018079288.tif 000003
【図２】
2018079288.tif 000004
【図３】
2018079288.tif 000005
【図４】
2018079288.tif 000006
【図５】
2018079288.tif 000007
【図６】
2018079288.tif 000008
【図７】
2018079288.tif 000009